(57)【要約】【課題】ブラインドの断熱性を確保しつつ意匠性を向上させること。【解決手段】ブラインドは、建物の開口部に設置されるブラインドであって、支持部材と、上記支持部材に一端が支持され当該支持部材から昇降可能に垂下する遮蔽材と、上記遮蔽材の他端に設けられたボトムレールとを有する。上記ボトムレールは、当該ブラインドの前後方向における後方側かつ当該ボトムレールの長手方向の両端部が切り欠かれた形状を有することで、当該長手方向において、前方側よりも上記後方側が短尺に形成される。上記遮蔽材は、上記ボトムレールの上記形状に対応した形状を有する。【選択図】図６
2020193514.tif 000002
【特許請求の範囲】
【請求項１】
建物の開口部に設置されるブラインドであって、
支持部材と、
前記支持部材に一端が支持され当該支持部材から昇降可能に垂下する遮蔽材と、
前記遮蔽材の他端に設けられたボトムレールと
を具備し、
前記ボトムレールは、当該ブラインドの前後方向における後方側かつ当該ボトムレールの長手方向の両端部が切り欠かれた形状を有することで、当該長手方向において、前方側よりも前記後方側が短尺に形成され、
前記遮蔽材は、前記ボトムレールの前記形状に対応した形状を有する
ブラインド。
【請求項２】
請求項１に記載のブラインドであって、
前記開口部に固定され当該ブラインドと前記開口部との隙間を塞ぐブラインド用フレームをさらに具備し、
前記ボトムレールの前方側の両端部は、前記前後方向において前記ブラインド用フレームと重複し、
前記ボトムレールの後方側の両端部は、前記長手方向において前記ブラインド用フレームと対向する
ブラインド。
【請求項３】
請求項２に記載のブラインドであって、
前記ブラインド用フレームは、前記開口部に固定されるベース部と、当該ベース部から前記遮蔽材に向かって突出する第１遮蔽片とを有し、
前記ベース部は、当該ブラインドの前後方向における中心よりも後方側に形成され、前記ベース部と第１遮蔽片との間に、前記ボトムレールの一部が挿通する挿通部を有する
ブラインド。
【請求項４】
請求項３に記載のブラインドであって、
前記ベース部は、前記第１遮蔽片よりも前方寄りに、前記ボトムレールの一部を挿通する第２遮蔽片を有する
ブラインド。
【請求項５】
請求項３または４に記載のブラインドであって、
前記ブラインド用フレームは、前記ベース部との間で当該ブラインド用フレームの上下方向に亘って空間部を形成し、かつ、前記ベース部を前記開口部に固定するための固定部材を覆うように前記ベース部に着脱可能なカバー部材を有し、
前記挿通部は、前記カバー部材と前記第１遮蔽片との間に形成される空間である
ブラインド。
【請求項６】
請求項４に記載のブラインドであって、
前記挿通部は、前記第１遮蔽片と前記第２遮蔽片との間に形成される空間である
ブラインド。
【請求項７】
請求項２乃至６のいずれかに記載のブラインドであって、
前記ボトムレールは、前記短尺に形成された後方側の一部から突出し前記挿通部を挿通する突部を有する
ブラインド。
【発明の詳細な説明】
【技術分野】
【０００１】
本発明は、ブラインドに関する。
【背景技術】
【０００２】
従来から、断面が六角形の複数の筒状のセルが連結されて畳み込み及び展開が可能に形成されたハニカムスクリーンと呼ばれるブラインドが存在する。
【０００３】
下記特許文献１には、第１の面と第２の面とがスペーサ手段によって連結された六角形ハニカム断面のスクリーンによって開口部を遮蔽可能とし、開口部を形成する枠板とスクリーンの少なくとも一方の側縁との間の隙間を通過する光を遮蔽するために、縦方向のフレームであるキー手段を枠板に取付け、スクリーン側縁からスペーサ手段の内側に向かってスロットを形成し、キー手段をスロットに係合させることが開示されている。
【０００４】
これによって、スクリーンを下降させて開口部を覆うことで、スクリーンと開口部との間から光や熱エネルギーが通過することを防止できるという特徴を有する。
【先行技術文献】
【特許文献】
【０００５】
【特許文献１】欧州特許出願公開第２３９５１９４号明細書
【発明の概要】
【発明が解決しようとする課題】
【０００６】
しかしながら、上記特許文献１に記載の技術においては、キー手段は、枠板への取付部となるフランジと、フランジに対して略直交する方向に係止片（ウエブ）と、からなり、開口部の枠板の垂直部に対してネジ又は釘によって取付けられるが、取付部であるフランジがスクリーンの側部に露出しており、意匠性を損なうという課題があった。
【０００７】
以上のような事情に鑑み、本発明の目的は、断熱性を確保しつつ意匠性を向上させることが可能なブラインドを提供することにある。
【課題を解決するための手段】
【０００８】
上記目的を達成するため、本発明の一形態に係るブラインドは、建物の開口部に設置されるブラインドであって、支持部材と、上記支持部材に一端が支持され当該支持部材から昇降可能に垂下する遮蔽材と、上記遮蔽材の他端に設けられたボトムレールとを有する。上記ボトムレールは、当該ブラインドの前後方向における後方側かつ当該ボトムレールの長手方向の両端部が切り欠かれた形状を有することで、当該長手方向において、前方側よりも上記後方側が短尺に形成される。上記遮蔽材は、上記ボトムレールの上記形状に対応した形状を有する。
【０００９】
この構成によれば、ボトムレールの後方側が前方側よりも短尺に形成されることで、当該後方側が開口部（窓枠内や壁面間）に収容され、前方側が室内側で開口部（窓枠や壁面）と重複するように設計した場合には開口部とブラインドとの隙間をボトムレールで隠蔽して断熱性を確保しつつ意匠性を向上させることができる。また開口部にフレームが設置される場合には、切り欠かれた部分が当該フレームと係合するように設計することでフレームをボトムレールで隠蔽して断熱性を確保しつつ意匠性を向上させることができる。さらにこの構成により、切欠かれた部分が開口部と係合することで、ブラインドの横方向の揺動を抑えることができる。なお、遮蔽材も上記ボトムレールと同様に切り欠かれた形状を有していてもよい。
【００１０】
上記開口部に固定され当該ブラインドと上記開口部との隙間を塞ぐブラインド用フレームをさらに有してもよい。この場合、上記ボトムレールの前方側の両端部は、上記前後方向において上記ブラインド用フレームと重複し、上記ボトムレールの後方側の両端部は、上記長手方向において上記ブラインド用フレームと対向してもよい。
【００１１】
この構成によれば、ボトムレールの前方側によってフレームを隠蔽することで断熱性を確保しつつ意匠性を向上できると共に、ボトムレールとフレームが係合することでブラインドの横方向の揺動を抑えることができる。
【００１２】
上記ブラインド用フレームは、上記開口部に固定されるベース部と、当該ベース部から上記遮蔽材に向かって突出する第１遮蔽片とを有し、
上記ベース部は、当該ブラインドの前後方向における中心よりも後方側に形成され、上記ベース部と第１遮蔽片との間に、上記ボトムレールの一部が挿通する挿通部を有する
【００１３】
この構成によれば、フレームをボトムレールの前面よりも後方寄りに設置することで、ベース部をボトムレールによって覆い隠すことができ、開口部と遮蔽材との間の隙間を塞ぐ第１遮蔽片は、遮蔽材によって覆い隠されることで、フレームがブラインド側部に露出せず、断熱性を確保しつつ意匠性が向上する。
【００１４】
上記ベース部は、上記第１遮蔽片よりも前方寄りに、上記ボトムレールの一部を挿通する第２遮蔽片を有してもよい。
【００１５】
この構成によれば、第２遮蔽片を設けることで、遮蔽材を開放した状態でも、ベース部が第２遮蔽片によって覆い隠されることで、フレームの意匠性が向上する。
【００１６】
上記ブラインド用フレームは、上記ベース部との間で当該ブラインド用フレームの上下方向に亘って空間部を形成し、かつ、上記ベース部を上記開口部に固定するための固定部材を覆うように上記ベース部に着脱可能なカバー部材を有してもよい。この場合上記挿通部は、上記カバー部材と上記第１遮蔽片との間に形成される空間であってもよい。
【００１７】
この構成によれば、第１遮蔽片とカバーとの間にボトムレールの一部を挿通させることで、ボトムレールの前後の移動を規制し、ブラインドが風等に煽られることを防止する。
【００１８】
上記挿通部は、上記第１遮蔽片と上記第２遮蔽片との間に形成される空間であってもよい。
【００１９】
この構成によれば、第１遮蔽片と第２遮蔽片との間にボトムレールの一部を挿通させることで、ボトムレールの前後の移動を規制し、ブラインドが風等に煽られることを防止する。
【００２０】
上記ボトムレールは、上記短尺に形成された後方側の一部から突出し上記挿通部を挿通する突部を有してもよい。
【００２１】
この構成によれば、ボトムレールの長尺部分がフレームよりも手前側に配置され、ボトムレール端部を開口部枠に近接することができるため、遮蔽性及び断熱性がさらに向上する。また、当該突部が挿通部に案内されることによってブラインドを安定して昇降させることができる。
【発明の効果】
【００２２】
以上説明したように、本発明によれば、断熱性を確保しつつ意匠性を向上させることができる。しかし、当該効果は本発明を限定するものではない。
【図面の簡単な説明】
【００２３】
【図１】本発明の一実施形態に係るブラインドの平面図である。
【図２】図１のブラインドの正面図である。
【図３】上記ブラインドの右側面（ＹＺ面）断面図である。
【図４】上記ブラインドの下端部付近の部分断面斜視図である。
【図５】上記ブラインドのフレームの部分断面斜視図である。
【図６】上記ブラインドのボトムレール端部付近の平面（ＸＺ面）断面図である。
【図７】図６の平面断面図においてスクリーンを一部省略して示した図である。
【図８】本発明の他の実施形態に係るブラインドのボトムレール端部付近の平面（ＸＺ面）断面図である。
【図９】本発明の他の実施形態に係るブラインドの平面（ＸＺ面）断面図である。
【図１０】図９のブラインドのボトムレール端部付近の平面（ＸＺ面）断面図である。
【発明を実施するための形態】
【００２４】
以下、図面を参照しながら、本発明の実施形態を説明する。
【００２５】
［ブラインドの構成］
図１は、本実施形態に係るブラインドの平面図であり、図２は当該ブラインドの正面図である。また図３は、当該ブラインドの右側面（ＹＺ面）断面図であり、図４は、当該ブラインドの背面側下端部付近の部分断面斜視図である。
【００２６】
これらの図に示すように、本実施形態に係るブラインド１００は、支持部材としてのヘッドボックス１と、遮蔽材としてのスクリーン２と、ボトムレール３とを有する。当該ブラインド１００の両側部には、ブラインド１００の上下方向（Ｙ方向）に長尺のフレーム４がそれぞれ設けられる。
【００２７】
ヘッドボックス１は、建物の窓枠や出窓等の開口部Ｏに設置される。スクリーン２は、当該ヘッドボックス１によってその上端が支持され昇降可能に垂下される。ボトムレール３は、当該スクリーン２の下端に設けられる。フレーム４は、当該ブラインド１００の側部と開口部Ｏとの隙間を塞ぐように設けられている。
【００２８】
図１乃至図３に示すように、ヘッドボックス１は、横長直方体形状を有し、ブラケット５を介して開口部Ｏにネジ等により固定される。ヘッドボックス１の上面と開口部Ｏとの間には、両者の隙間を塞ぐための例えばモヘヤ等の上部隙間防止材８が設けられている。
【００２９】
図３に示すように、ヘッドボックス１の内部には、巻取ドラム１１が設けられている。巻取ドラム１１には回転軸１０が貫通しており、これにより巻取ドラム１１と回転軸１０は一体に回転可能に支持される。図示しないが、ヘッドボックス１にはこのほか、回転軸の巻解き方向の回転を許容する状態と規制する状態とに切替えるストッパ等も設けられる。
【００３０】
図３及び図４に示すように、スクリーン２は、同図Ｙ方向に断面６角形の複数の筒状のセルが連結されて畳み込み及び展開可能に形成されたハニカムスクリーンである。当該スクリーン２の畳み込まれたときの前後幅（Ｚ方向の長さ）は例えば２５ｍｍであるが、これに限られず、例えば４５ｍｍであってもよい。当該スクリーン２の生地は、例えば光を透過しない素材で形成されているが、シースルー状の素材で形成されていてもよい。
【００３１】
スクリーン２内部には昇降コード挿通孔（図示せず）が形成されており、当該昇降コード挿通孔には、上記ヘッドボックス１から垂下された昇降コード（図示せず）が挿通されている。当該昇降コードの上端は、ヘッドボックス１内で巻取ドラム１１に巻取り及び巻解き可能に連結されており、昇降コードの他端は、ボトムレール３に連結されている。
【００３２】
ヘッドボックス１の右側端部には、回転軸１０と一体回転可能なプーリ等を有する操作ユニット６が設けられており、プーリには操作コード７が巻き掛けられて導出されている。ユーザが当該操作コード７を操作することにより、昇降コードが昇降しボトムレール３が昇降することでスクリーン２を伸縮させることができる。
【００３３】
ボトムレール３の長手方向の両端部は、組立時に上記スクリーン２の下端を挿入可能とするために開口しており、当該開口には、ボトムレールキャップ３１が着脱可能に設けられている。
【００３４】
ボトムレール３の底面には、開口部Ｏとボトムレール３の下端との隙間を塞ぐための例えばゴムパッキン等の下部隙間防止材９が設けられている。
【００３５】
［フレームの詳細］
次に、上記フレーム４の詳細について、スクリーン２及びボトムレール３の関連箇所と併せて説明する。図５はフレーム４の部分断面斜視図であり、図６は、ボトムレール３の端部付近の平面（ＸＺ面）断面図であり、図７は図６の平面断面図からスクリーン２を一部省略した図である。
【００３６】
図３、図４、図６及び図７に示すように、スクリーン２及びボトムレール３は、ブラインド１００の前後方向（Ｚ方向）における中心線Ｃを基準として後方側かつ当該ボトムレール３の長手方向（Ｘ方向）の両端部に、矩形状の切欠部２１及び切欠部３２を有する。ボトムレール３の切欠部３２は、図７に示すように、ボトムレール３本体の切欠部を当該切欠部に沿った形状を有するボトムレールキャップ３１が被うことで形成されている。
【００３７】
すなわち、ボトムレール３は、上記切欠部３２を有することで、当該長手方向において、前方側よりも後方側が短尺に形成されている。これによりボトムレール３の前方側によってフレーム４が隠蔽されることで意匠性が向上する。
【００３８】
図３乃至図７に示すように、フレーム４は、ベース部４１と遮蔽片４２とカバー部材４３とを有する。また図５に示すように、フレーム４の上端には、ヘッドボックス１の左右端部との干渉を防ぐための切欠部である干渉防止部４４が形成されている。
【００３９】
図６及び図７に示すように、ベース部４１の底面は、開口部Ｏにネジ等により固定される。遮蔽片４２は、ベース部４１の前後方向（Ｚ方向）の後側端部からスクリーン２（及びボトムレール３）に向かって突出している。
【００４０】
遮蔽片４２は、スクリーン２及びボトムレール３の背面の左右両端部と対向するように設けられている。上記ベース部４１は、上記前後方向における中心線Ｃよりも後方側に形成されている。
【００４１】
ボトムレール３（ボトムレールキャップ３１）は、短尺に形成された後方側の一部から突出する突部３３を有し、ベース部４１と遮蔽片４２との間には、当該突部３３が挿通（係合）する挿通部４５が形成されている。より厳密には、挿通部４５は、カバー部材４３と上記遮蔽片４２との間に形成される空間である。
【００４２】
これにより遮蔽片４２は、開口部Ｏとスクリーン２との隙間を塞ぎ、空気の流入を防止して断熱性を向上させるとともに、突部３３によりボトムレール２の前後方向（Ｚ方向）の移動を規制し、ブラインド１００が風等に煽られることを防止している。
【００４３】
カバー部材４３は、ベース部４１を開口部Ｏに固定するためのネジ等の固定部材を覆うように当該ベース部４１に着脱可能であり、ベース部４１との間でフレーム４の上下方向（Ｙ方向）に亘って空間部Ｓを形成している。すなわち、空間部Ｓは、ヘッドボックス１に対向して形成される干渉防止部４４の下端からフレーム４の下端に亘って形成されている。本実施形態では、カバー部材４３は断面凸形状を有し、ベース部４１の内側側面の凹部に挿入され係合することで固定されている。
【００４４】
当該カバー部材４３によって空間部Ｓを形成することで、フレーム４自体の断熱性能を向上できるとともに、ベース部４１の固定部材（ネジ等）を隠蔽して意匠性を向上することができる。
【００４５】
［ブラインドの動作］
次に、以上のように構成されたブラインド１００の動作について説明する。
【００４６】
まず、図１のようにスクリーン２が展開した状態から畳み込む場合、ヘッドボックス１から導出されている操作コード７を操作して昇降コードの巻取方向に回転させると、回転軸１０と巻取ドラム１１が一体に回転して巻取ドラム１１が昇降コードを巻取り、ボトムレール３が上昇してスクリーン２が最下端のセルから上端のセルに向かって順次畳み込まれる。この後、操作コード７の操作を終了すると、回転軸１０の回転がストッパによって拘束され、スクリーン２の畳み込まれた状態が維持される。
【００４７】
次に、スクリーン２が畳み込まれた状態から展開させる場合、操作コード７を操作してストッパを解除する。これによりボトムレール３及びスクリーン２が自重により下降し、スクリーン２が展開する。
【００４８】
このような昇降動作の間、ボトムレール３及びスクリーン２の切欠部３２及び切欠部２１は遮蔽片４２に案内されるとともに、突部３３が挿通部４５に挿通して案内されることで、安定した昇降動作が可能となる。またそれと共に、昇降動作中にフレーム４がスクリーン２及びボトムレール３によって覆い隠されることで、断熱性を確保しつつ意匠性が向上する。
【００４９】
［まとめ］
以上説明したように、本実施形態によれば、フレーム４のベース部４１とボトムレール３の前方側とをブラインド１００の前後方向において重複させることで、当該前方側を固定面Ｏ側に極力近づけ、またブラインド１００の後方側に沿うように遮蔽片４２を形成することで、遮蔽性、断熱性及び意匠性が向上する。さらに、フレーム４の挿通部４５にボトムレール３の突部３３を挿通させることで、ブラインド１００の前後方向及び横方向の揺動を抑えながら、安定した昇降動作を実現することができる。
【００５０】
［変形例］
本発明は上述の実施形態にのみ限定されるものではなく、本技術の要旨を逸脱しない範囲内において種々変更され得る。
【００５１】
上述の実施形態では、ボトムレール３の短尺に形成された後方側の端部から突部３３が突出して形成され、当該突部３３が、フレーム４のカバー部材４３と遮蔽片４２との間に形成された挿通部４５を挿通していた。しかし、ボトムレール３にこのような突部が設けられなくてもよい。
【００５２】
図８はこの場合のブラインドのボトムレール端部付近の平面（ＸＺ面）断面図である。同図に示すように、この例では、上記ベース部４１には、後方側の遮蔽片（第１遮蔽片）４２よりも前方寄り（ベース部４１の前方側端部）に、もう１つの遮蔽片（第２遮蔽片）４６が設けられている。
【００５３】
一方、短尺に形成されたボトムレール３の後方側のうち、前方側との境界付近には凹部３４が形成されており、上記第２遮蔽片４６は当該凹部３４を挿通している。
【００５４】
そして、この例において挿通部４５は、上記第１遮蔽片４２と上記第２遮蔽片４６との間に形成される空間として形成されており、当該凹部３４を除くボトムレールの後方側全体が当該挿通部４５を挿通している。
【００５５】
この構成によれば、第２遮蔽片４６を設けることで、遮蔽材２を開放した状態でも、ベース部４１が第２遮蔽片４６によって覆い隠されることで、フレーム４の意匠性が向上する。また、第１遮蔽片４２と第２遮蔽片４６との間にボトムレール３の後方側全体を挿通させることで、ボトムレール３の前後の移動を規制し、ブラインド３が風等に煽られることを防止できる。
【００５６】
上述の実施形態では、ブラインド１００が設置される開口部Ｏにフレーム４が設けられていたが、フレーム４が設けられずに、窓枠や壁面に沿ってブラインド１００（ボトムレール３）を取り付けることも可能である。
【００５７】
図９は、この場合のブラインドの取付け状態を示す平面断面図であり、図１０は、図９に示したブラインドのボトムレール端部付近の平面（ＸＺ面）断面図である。
【００５８】
両図に示すように、この例では、ボトムレール３の切欠部３２が窓枠や壁等の開口部Ｏに係合するようにブラインド１００が設置される。すなわち、この場合、ボトムレール３のうち短尺に形成された後方側の両端部は、長手方向（Ｘ方向）において開口部Ｏの内面と対向し、長尺に形成された前方側の両端部は、前後方向（Ｚ方向）において開口部Ｏの周囲の壁または窓枠と重複している。スクリーン２の切欠部２１もこれと対応した形状に形成される。したがってこの例では、ボトムレール３のうち短尺に形成された後方側及びスクリーン２の後方側が、開口部Ｏ内に嵌合されたような状態となる。
【００５９】
フレーム４を用いないことで、図９に示すように固定面Ｏが狭く窓Ｗとブラインド１００との間の距離が小さいためにフレーム４が設置できないような場所でもブラインド１００を設置して切欠部３２と係合させることで、安定した昇降動作、揺動防止、断熱性の向上、意匠性の向上といった上記実施形態と同様の効果を得ることができる。
【００６０】
上述の実施形態では、ボトムレール３の前方側と後方側の境界（切欠部３２の形成位置）はボトムレール３の前後方向の中心線Ｃとされたが、当該中心線Ｃを基準とせず、当該中心線から前後方向にずれた位置に前方側と後方側の境界が設定されてもよい。
【００６１】
上述の実施形態では、遮蔽材としてハニカムスクリーンを用いた例が示された。しかし、遮蔽材はこれに限られない。例えば金属製・樹脂製または木製のスラットを用いたベネシャンブラインドやロールスクリーン等の他のブランドについても本発明は同様に適用可能である。
【符号の説明】
【００６２】
１………ヘッドボックス
２………（ハニカム）スクリーン
３………ボトムレール
４………フレーム
５………ブラケット
６………操作ユニット
７………操作コード
８………上部隙間防止材
９………下部隙間防止材
１０……回転軸
１１……巻取ドラム
２１……（スクリーン）切欠部
３１……ボトムレールキャップ
３２……（ボトムレール）切欠部
３３……突部
３４……凹部
４１……ベース部
４２……（第１）遮蔽片
４３……カバー部材
４４……干渉防止部
４５……挿通部
４６……（第２）遮蔽片
１００…ブラインド
Ｏ………開口部
Ｓ………空間
Ｃ………中心線
【図１】
2020193514.tif 000003
【図２】
2020193514.tif 000004
【図３】
2020193514.tif 000005
【図４】
2020193514.tif 000006
【図５】
2020193514.tif 000007
【図６】
2020193514.tif 000008
【図７】
2020193514.tif 000009
【図８】
2020193514.tif 000010
【図９】
2020193514.tif 000011
【図１０】
2020193514.tif 000012